(57)【要約】楽器の操作が苦手、あるいは音符や楽譜等が分からなくても幼児期の子供に対して音楽の楽しさ、音楽への興味、感動を伝える音楽教育支援システムを提供すること。  通信ネットワークに接続されているコンピュータからなり、一又は複数の音を表す音データと、前記音の数を表す第一の図形データとが関連付けられてなる第一のフレーズブロックデータを記憶している第一のフレーズブロックデータ記憶部と、複数の前記第一のフレーズブロックデータの中から任意の前記第一のフレーズブロックデータの選択を促すフレーズブロックデータ選択指示部と、前記選択された第一のフレーズブロックデータに関連付けられている前記音データを出力する音声出力手段を備える音楽教育支援システム。
2018021519.tif 000002
【特許請求の範囲】
【請求項１】
通信ネットワークに接続されているコンピュータからなり、
一又は複数の音を表す音データと、前記音の数を表す第一の図形データとが関連付けられてなる第一のフレーズブロックデータを記憶している第一のフレーズブロックデータ記憶部と、
複数の前記第一のフレーズブロックデータの中から任意の前記第一のフレーズブロックデータの選択を促すフレーズブロックデータ選択指示部と、
前記選択された第一のフレーズブロックデータに関連付けられている前記音データを出力する音声出力手段を備える
音楽教育支援システム。
【請求項２】
前記音データと、前記音の数を表す第二の図形データとが関連付けられてなる第二のフレーズブロックデータを記憶している第二のフレーズブロックデータ記憶部と、
一又は複数の前記第二のフレーズブロックデータからなるソングブロックデータが記憶されているソングブロックデータ記憶部と、
複数の前記ソングブロックデータの中から任意の前記ソングブロックデータの選択を促すソングブロックデータ選択指示部と、
前記選択されたソングブロックデータを構成する前記第二のフレーズブロックデータに対応する前記第一のフレーズブロックデータの選択を促す対応フレーズブロックデータ選択指示部と、
前記選択された第一のフレーズブロックデータに関連付けられている前記音データと、前記選択された第二のフレーズブロックデータに関連付けられている前記音データとが一致しているか否かを判別する判別部と、を備え、
前記音声出力手段は、前記選択されたソングブロックデータを構成する前記第二のフレーズブロックデータの前記第二の図形データに関連付けられている前記音データを出力する
請求項１記載の音楽教育支援システム。
【請求項３】
前記第一の図形データの図形は、前記音データに含まれている音の数、拍数、高低を示す形状と色彩もしくは模様を有する
請求項１記載の音楽教育支援システム。
【請求項４】
前記第一の図形データの図形は、前記音データに含まれている音の数、拍数、高低を示す形状と色彩もしくは模様を有し、
前記第二の図形データの図形は、前記第一の図形データの図形と同一の形状、色彩もしくは模様を有する
請求項２記載の音楽教育支援システム。
【請求項５】
前記第一の図形データの図形は、前記音データに含まれている音の数、拍数、高低を示す形状と色彩又は模様を有し、
前記第二の図形データの図形は、前記第一の図形データの図形と同一の形状を有し、前記第一の図形データの図形とは異なる色彩もしくは模様を有する
請求項２記載の音楽教育支援システム。
【請求項６】
前記第一のフレーズブロックデータ及び前記第二のフレーズブロックデータに関連付けられている前記音データの音名を音名データとして生成する音名データ生成部を備え、
前記音声出力手段は、前記第一のフレーズブロックデータ又は前記第二のフレーズブロックデータが選択された際に、前記音名データを出力する
請求項１〜５記載の音楽教育支援システム。
【請求項７】
前記コンピュータを構成するユーザ端末と情報通信装置を備え、
前記情報通信装置は、複数の音声記憶構造体と、当該音声記憶構造体が配置される配置盤とを備え、
前記音声記憶構造体は、
立体形状を有し、
前記第一の図形データと、前記音データとが関連付けられてなる前記第一のフレーズブロックデータを記憶しており、
前記配置盤は、
前記音声記憶構造体を検知する検知部と、
前記ユーザ端末に対し、前記検知部が検知した前記音声記憶構造体が記憶している前記第一のフレーズブロックデータに関連付けられている前記音データの出力を指示する音声出力指示部と、を備える
請求項１〜６の何れか一項に記載の音楽教育支援システム。
【請求項８】
前記コンピュータを構成する情報通信装置を備え、
前記情報通信装置は、
鍵盤と、
前記選択された前記第一のフレーズブロックデータを受信する情報受信部と、
前記受信した第一のフレーズブロックデータに基づいて、当該第一のフレーズブロックデータに関連付けられている前記音データに対応する前記鍵盤の位置をガイドするガイド表示手段と、を備える
請求項１〜６の何れか一項に記載の音楽教育支援システム。
【請求項９】
前記コンピュータを構成する情報通信装置を備え、
前記情報通信装置は、複数の音声記憶構造体と、当該音声記憶構造体が配置される配置盤とを備え、
前記音声記憶構造体は、
立体形状を有し、
前記第一の図形データと、前記音データとが関連付けられてなる前記第一のフレーズブロックデータを記憶しており、
前記第一のフレーズブロックデータに関連付けられている前記音データを出力する音声記憶構造体側の音声出力手段と、を備え、
前記配置盤は、
前記音声記憶構造体を検知する検知部と、
前記配置部に配置された前記音声記憶構造体に対し、前記検知部が検知した前記音声記憶構造体が記憶している前記第一のフレーズブロックデータに関連付けられている前記音データの出力を指示する音声出力指示部と、を備える
請求項１〜６の何れか一項に記載の音楽教育支援システム。
【請求項１０】
前記配置盤は、
前記音声記憶構造体が配置される一又は複数の配置部を備え、
前記検知部は、前記配置部に前記音声記憶構造体が配置された際に、当該音声記憶構造体が配置されたこと及び当該音声記憶構造体が記憶している前記第一のフレーズブロックデータを検知する
請求項７又は９記載の音楽教育支援システム。
【請求項１１】
前記音データの音の音色が音色データとして記憶されている音色データ記憶部と、
複数の前記音色データの中から任意の前記音色データの選択を促す音色データ選択指示部を備え、
前記音声出力手段は、前記第一のフレーズブロックデータに関連付けられている前記音データに前記選択された音色データを付加して、当該付加された音データを出力する
請求項１〜８の何れか一項に記載の音楽教育支援システム。
【請求項１２】
前記音データの音の音色が音色データとして記憶されている音色データ記憶部と、
複数の前記音色データの中から任意の前記音色データの選択を促す音色データ選択指示部を備え、
前記音声記憶構造体側の音声出力手段は、前記第一のフレーズブロックデータに関連付けられている前記音データに前記音色データを付加して、当該付加された音データを出力する
請求項９記載の音楽教育支援システム。
【発明の詳細な説明】
【技術分野】
【０００１】
この発明は音楽教育支援システムに関する。
【背景技術】
【０００２】
従来、音楽教育支援システムの一つとして、特許文献１には、楽曲の作曲が容易に行え、その作曲を行った実感がより得られる作曲支援装置、及びプログラムが提案されている。【０００３】
特許文献１記載の発明は、音符の種類をゲートルーレットにより自動的に選択し、音符のピッチをピッチルーレットにより自動的に選択して作曲を支援するものである。
【先行技術文献】
【特許文献】
【０００４】
【特許文献１】特開２００６−８４８５５号公報
【発明の概要】
【発明が解決しようとする課題】
【０００５】
これまでの幼児期の子供に対する音楽教育は、楽器の操作を通じて行うものであった。そのため、音楽が好きであるが楽器の操作が苦手、あるいは音符や楽譜を理解できないという理由で結局音楽が嫌いになる子供が多かった。【０００６】
このような状況のもと、音楽の楽しさや音楽への興味、感動を聴覚と視覚を通じて体験させるような音楽教育支援システムの提案が望まれていた。【０００７】
特許文献１記載の発明では、音符や楽譜、音名、音階等を理解していることが要求されるので、感覚的な操作で音楽教育を行うためには改善の余地がある。【０００８】
この発明は、楽器の操作が苦手、あるいは音符や楽譜等が分からなくても幼児期の子供に対して音楽の楽しさ、音楽への興味、感動を伝える音楽教育支援システムを提供することを目的とする。
【課題を解決するための手段】
【０００９】
請求項１の発明は、
通信ネットワークに接続されているコンピュータからなり、
一又は複数の音を表す音データと、前記音の数を表す第一の図形データとが関連付けられてなる第一のフレーズブロックデータを記憶している第一のフレーズブロックデータ記憶部と、
複数の前記第一のフレーズブロックデータの中から任意の前記第一のフレーズブロックデータの選択を促すフレーズブロックデータ選択指示部と、
前記選択された第一のフレーズブロックデータに関連付けられている前記音データを出力する音声出力手段を備える
音楽教育支援システムである。
【発明の効果】
【００１０】
この発明によれば、楽器の操作が苦手、あるいは音符や楽譜等が分からなくても幼児期の子供に対して音楽の楽しさ、音楽への興味、感動を伝える音楽教育支援システムを提供することができる。
【図面の簡単な説明】
【００１１】
【図１】本発明に係る音楽教育支援システムの構成の一例を表す。
【図２】本発明が備えるサーバ装置の構成の一例を表す。
【図３】本発明が備えるユーザ端末の構成の一例を表す。
【図４】（ａ）、（ｂ）共に本発明が備える情報通信装置の構成の一例を表す。
【図５】（ａ）はブロック枠データを表す。（ｂ）〜（ｅ）はそれぞれ第一の図形データ及び音データの一例を表す。（ｆ）、（ｇ）は第一のフレーズブロックデータの一例を表す。
【図６】（ａ）〜（ｄ）はそれぞれ第一の図形データ及び音データの他の例を表す。（ｅ）は第一のフレーズブロックデータの他の例を表す。
【図７】（ａ）複数の第一のフレーズブロックデータがユーザ端末に表示された状態の一例を表す。（ｂ）音色データの一例を表す。
【図８】（ａ）作曲データが作成される状態の一例を表す。（ｂ）作成された作曲データの他の例を表す。
【図９】図８（ａ）図示の作曲データに図８（ｂ）図示の音色データが組み合わされた状態の一例を表す。
【図１０】本発明の第二の実施形態の一例を表し、（ａ）はブロック枠データを表す。（ｂ）〜（ｅ）はそれぞれ第二の図形データ及び音データの一例を表す。（ｆ）、（ｇ）は第二のフレーズブロックデータの一例を表す。
【図１１】第二のフレーズブロックデータに対応する第一のフレーズブロックデータを選択している状態の一例を表す。
【図１２】図１１に引き続き、第二のフレーズブロックデータに対応する第一のフレーズブロックデータを選択している状態の一例を表す。
【図１３】図１２に引き続き、第二のフレーズブロックデータに対応する第一のフレーズブロックデータを選択している状態の一例を表す。
【図１４】図１３に引き続き、第二のフレーズブロックデータに対応する第一のフレーズブロックデータを選択している状態の一例を表す。
【図１５】第二のフレーズブロックデータに関連付けられている音データと、選択した第一のフレーズブロックデータに関連付けられている音データとの比較を表す図であって、（ａ）、（ｃ）、（ｅ）、（ｇ）は両音データが一致している場合を表す。（ｂ）、（ｄ）、（ｆ）、（ｈ）は両音データが異なっている場合を表す。
【図１６】本発明の第三の実施形態に係る音声記憶構造体の一例を表し、（ａ）は音声記憶構造体の形状を表す。（ｂ）は第一のフレーズブロックデータを表す図形が音声記憶構造体に表示されている状態を表す。
【図１７】音声記憶構造体に記憶される第一のフレーズブロックデータの一例を表す。
【図１８】（ａ）第三の実施形態に係る配置盤の一例を表す。（ｂ）、（ｃ）それぞれ、配置盤に音声記憶構造体が配置され、ユーザ端末から音が出力されている状態の一例を表す。
【図１９】本発明の第四の実施形態の一例を表し、（ａ）配置盤の一例を表す。（ｂ）配置盤に音声記憶構造体が配置された状態の一例を表す。（ｃ）音声記憶構造体から音が出力されている状態の一例を表す。
【図２０】本発明の第四の実施形態の他の例を表す。
【図２１】本発明の第一の実施形態の処理フローの一例を表す。
【図２２】本発明の第二の実施形態の処理フローの一例を表す。
【図２３】本発明の第三の実施形態の処理フローの一例を表す。
【図２４】本発明の第四の実施形態の処理フローの一例を表す。
【図２５】本発明の第四の実施形態の他の例の処理フローを一例表す。
【発明を実施するための形態】
【００１２】
以下、添付図面を参照して、本発明の実施形態を説明する。
【００１３】
本実施形態の音楽教育支援システム１は、インターネット通信網、無線通信規格で定められている無線通信網を含む通信ネットワーク４６に接続可能なコンピュータからなる。
【００１４】
後述する第二、第三、第四の実施形態において、第一の実施形態で説明する構成と共通する構成については同じ符号を付し、その説明を省略する。
【００１５】
［第一の実施形態］
本実施形態の音楽教育支援システム１は、前記コンピュータを構成するユーザが使用するユーザ端末３（図３）と、本発明に係る音楽教育支援サービスを提供する事業者が通信ネットワーク４６に接続可能に設置しているサーバ装置２（図２）とが、通信ネットワーク４６を介して接続されて構成されている。
【００１６】
ユーザ端末３には、パーソナルコンピュータ、タブレット端末、スマートフォン、ウェブ閲覧機能などを有する携帯電話機、等の端末が含まれ、本実施形態に係る音楽教育支援サービスをウェブ上で利用するためのウェブブラウザを備えている。あるいは、ユーザ端末３には、前記音楽教育支援サービスの提供を受けるためのアプリケーションプログラムがサーバ装置２からダウンロード、インストールされている。
【００１７】
ユーザ端末３は、サーバ装置２と相互に情報の送受信を行う情報送受信部１６を備えている。
【００１８】
ユーザ端末３は、例えば、記憶部１７として内蔵ストレージ、情報表示手段１８として液晶ディスプレイ、情報入力手段１９としてキーボード、マウス、タッチパネル、音声出力手段２０として内部スピーカを備えている。これらが行う情報処理はＣＰＵ、ＲＡＭ等を備える制御部２１によって制御される。
【００１９】
サーバ装置２は、ユーザ端末３と相互に情報の送受信を行う情報送受信部５を備えている。
【００２０】
サーバ装置２は、各種の情報を記憶する記憶部６を備えている。本実施形態の記憶部６は、第一のフレーズブロックデータ記憶部６ａ、作曲データ記憶部６ｃ、音色データ記憶部６ｅを備えている。
【００２１】
第一のフレーズブロックデータ記憶部６ａには、一又は複数の音を表す音データ３６と、前記音の数を表す第一の図形データとが関連付けられてなる第一のフレーズブロックデータ３８が記憶されている。
【００２２】
本明細書において、音データ３６には、一音、二音等、種々の音の数の音データと、休符を表す音データが含まれる。
【００２３】
図５（ｂ）、（ｆ）に示す例では、一つの４分音符を表す音データ３６ａと、その音データ３６ａの音の数が一つであることを表す円形の第一の図形データ３７ａとが関連付けられて第一のフレーズブロックデータ３８ａとなっている。
【００２４】
図５（ｃ）、（ｆ）に示す例では、二つの８分音符を表す音データ３６ｂと、その音データ３６ｂの音の数が二つであることを表す二つの半円形が組み合わされた円形の第一の図形データ３７ｂとが関連付けられて第一のフレーズブロックデータ３８ｂとなっている。
【００２５】
図５（ｄ）、（ｆ）に示す例では、三つの３連音符を表す音データ３６ｃと、その音データ３６ｃの音の数が三つであることを表す正三角形の第一の図形データ３７ｃとが関連付けられて第一のフレーズブロックデータ３８ｃとなっている。
【００２６】
図５（ｅ）、（ｆ）に示す例では、四つの１６分音符を表す音データ３６ｄと、その音データ３６ｄの音の数が四つであることを表す正方形の第一の図形データ３７ｄとが関連付けられて第一のフレーズブロックデータ３８ｄとなっている。
【００２７】
このような第一のフレーズブロックデータ３８が複数組み合わされて、図５（ｆ）に示すような特定のメロディ及びリズムを有するソングブロックデータ４０が作成される。
【００２８】
また、図５（ａ）に示す１拍の長さを表すブロック枠データ３９を準備しておき、このブロック枠データ３９と、第一のフレーズブロックデータ３８とを関連付けてもよい。
【００２９】
このようなブロック枠データ３９が関連付けられた第一のフレーズブロックデータ３８が複数組み合わされて、図５（ｇ）に示すような特定のメロディ及び４拍のリズムを有するソングブロックデータ４０が作成される。
【００３０】
図６（ａ）〜（ｃ）に示す例では、一音、二音の音の数の音データ３６ｅ〜３６ｇと、その音データそれぞれの音の数を表す第一の図形データ３７ａ、３７ｂとが関連付けられて第一のフレーズブロックデータ３８ａ、３８ｂとなっている。図６（ｅ）に示す例では、休符についての音データ３７ｅと、その休符を表す円形に記号が付された第一の図形データ３７ｅとが関連付けられて第一のフレーズブロックデータ３８ｅとなっている。
【００３１】
このような第一のフレーズブロックデータ３８が複数組み合わされて、図６（ｅ）に示すような特定のメロディ及びリズムを有するソングブロックデータ４０が作成される。
【００３２】
また、図６に示す例では、第一の図形データ３７ａ、３７ｂが表す各図形は、音データ３６ｅ〜３６ｇの音の特徴、すなわち、音の拍数、高低を示す色彩又は模様を有する。図６に示す例では、音の高低と音程の変化を色彩又は模様で示している。
【００３３】
図６（ａ）に示す第一の図形データ３７ａは、一音の音名「ラ」が所定の音の高さを有していることを表す模様を有している。
【００３４】
図６（ｂ）に示す第一の図形データ３７ｂは、二音の音名「ドソ」のうち、一音目の「ド」よりも二音目の「ソ」の音程が高いことを表す色彩を有している。
【００３５】
図６（ｃ）に示す第一の図形データ３７ｂは、二音の音名「ミレ」のうち、一音目の「ミ」よりも二音目の「レ」の音程が低いことを表す格子状の模様を有している。
【００３６】
図６（ｂ）図示の第一の図形データ３７ｂと図６（ｃ）図示の第一の図形データ３７ｂとは、二音の音の数を表す同一の円形を有している点で共通しているが、一音目と二音目の音の変化が異なるので各図形が有する色彩又は模様は異なっている。
【００３７】
音色データ記憶部６ｅには、音データ３６の音に組み合わせる音色が音色データ４１として記憶されている。図７（ｂ）に示す音色データ４１ａ〜４１ｆはそれぞれ、種々の音色を表す円形及び模様を有している。
【００３８】
作曲データ記憶部６ｃには、後述する複数のソングブロックデータ４０の組み合わせからなる作曲データ４５が記憶される。
【００３９】
サーバ装置２は、複数の第一のフレーズブロックデータ３８をユーザ端末３に送信して、任意の第一のフレーズブロックデータ３８の選択を促す処理を行うフレーズブロックデータ選択指示部７を備えている。ユーザ端末３には、図７（ａ）に示すように種々の第一のフレーズブロックデータ３８（３８ａ〜３８ｅ）が表示される。
【００４０】
なお、本実施形態では、ユーザ端末３には、第一のフレーズブロックデータ３８に含まれている音の数、拍数、高低を示す形状と色彩又は模様のみが表示され、例えば「ラ」、「ドソ」等、どの音名なのかを認識できる情報は表示されない。この他、第一のフレーズブロックデータ３８を表示させる処理を行う際に、どの音名なのかを認識できる情報を表示させてもよい。
【００４１】
サーバ装置２は、複数の第一のフレーズブロックデータ３８を組み合わせるためのフレーム枠データ４２をユーザ端末３に送信して、フレーム枠データ４２が表しているフレーム枠内に、選択された第一のフレーズブロックデータ３８を複数組み合わせることを促す処理を行うフレーズブロックデータ組み合わせ指示部８を備えている。ユーザ端末３には、図８（ａ）に示すような１小節の長さを表すフレーム枠データ４２が表示され、情報入力手段１９を用いて図７（ａ）に示す種々の第一のフレーズブロックデータ３８の中から任意の第一のフレーズブロックデータ３８を選択して、１小節の長さを表すフレーム枠データ４２が表しているフレーム枠内に配置する。
【００４２】
図８（ａ）に示す例では、一つのフレーム枠内に四つの第一のフレーズブロックデータ３８が組み合わされてなる１小節の長さのソングブロックデータ４０が四つ作成されている。図８（ｂ）に示す例では、一つのフレーム枠内に四つの第一のフレーズブロックデータ３８が組み合わされてなる１小節の長さのソングブロックデータ４０が、俳句を表す五−七−五形式で作成されている。このような一又は複数のソングブロックデータ４０で一つの作曲データ４５が作成される。作曲データ４５は作曲データ記憶部６ｄに記憶される。
【００４３】
サーバ装置２は、複数の音色データ４１をユーザ端末３に送信して、任意の音色データ４１の選択を促す処理を行う音色データ選択指示部１４を備えている。ユーザ端末３には、図７（ｂ）に示すような音色データ４１（４１ａ〜４１ｆ）が表示され、情報入力手段１９を用いて図９に示すように、１小節の長さを表すフレーム枠データ４２が表しているフレーム枠内に配置された第一のフレーズブロックデータ３８に付加する音色データ４１を選択する。音色データ４１が付加された作曲データ４５も作曲データ記憶部６ｃに記憶される。
【００４４】
これらの各情報処理部が行う情報処理はＣＰＵ、ＲＡＭ等を備える制御部１５によって制御される。
【００４５】
ユーザ端末３では、第一のフレーズブロックデータ３８が選択されると、選択した第一のフレーズブロックデータ３８に関連付けられている音データ３６が音声出力手段２０によって出力される。すなわち、選択された第一のフレーズブロックデータ３８に関連付けられている音データ３６がどのような音、あるいはメロディなのかを聞くことができる。
【００４６】
また、音声出力手段２０は、作曲データ４５に含まれている選択された複数の第一のフレーズブロックデータ３８の組み合わせに基づいて、当該組み合わされた複数の第一のフレーズブロックデータ３８に関連付けられている音データ３６を出力する処理を行う。図８（ａ）に示す例では、１小節の長さを表す左側のフレーム枠データ４２が表しているフレーム枠内に配置されている左側の第一のフレーズブロックデータ３８ｂに関連付けられている音データ３６から順番に出力される。また、図９に示す例では、１小節の長さを表す左側のフレーム枠データ４２が表しているフレーム枠内に配置されている音色データ４１ａが付加された左側の第一のフレーズブロックデータ３８ｂに関連付けられている音データ３６から順番に出力される。
【００４７】
本実施形態では、フレーズブロックデータ選択指示部７、フレーズブロックデータ組み合わせ指示部８、音色データ選択指示部１４が行う上述の処理をサーバ装置２が行う構成としている。この他、これらの情報処理を実行するために必要なアプリケーションプログラムをサーバ装置２からユーザ端末３へダウンロード、インストールさせ、ユーザ端末３が前記アプリケーションブログラムを実行して、フレーズブロックデータ選択指示部７、フレーズブロックデータ組み合わせ指示部８、音色データ選択指示部１４が行う上述の処理をユーザ端末３が行う構成とすることもできる。
【００４８】
図２１を参照して本実施形態の処理フローを説明する。この処理フローでは、ユーザ端末３が予めサーバ装置２から前記アプリケーションブログラムをダウンロード、インストールしており、サーバ装置２が記憶している各種データも保有している。
【００４９】
（Ｓ１０１）ユーザはユーザ端末３を使用して本実施形態に係る音楽教育支援サービスの提供を受けるためのアプリケーションプログラムを起動する。
【００５０】
（Ｓ１０２）フレーズブロックデータ選択指示部７は、図７（ａ）に示すような種々の第一のフレーズブロックデータ３８（３８ａ〜３８ｅ）をユーザ端末３に表示する処理を行い、任意の第一のフレーズブロックデータ３８の選択を促す処理を行う。
【００５１】
（Ｓ１０３）フレーズブロックデータ組み合わせ指示部８は、図８（ａ）に示すような１小節の長さを表すフレーム枠データ４２をユーザ端末３に表示する処理を行い、フレーム枠データ４２が表しているフレーム枠内に、選択された第一のフレーズブロックデータ３８を複数組み合わせることを促す処理を行う。
【００５２】
（Ｓ１０４）音色データ選択指示部１４は、図７（ｂ）に示すような音色データ４１（４１ａ〜４１ｆ）をユーザ端末３に表示する処理を行い、任意の音色データ４１の選択を促す処理を行う。
【００５３】
（Ｓ１０５）ユーザ端末３では、図７（ａ）に示すような種々の第一のフレーズブロックデータ３８の中から任意の第一のフレーズブロックデータ３８を選択する処理が行われる。
【００５４】
（Ｓ１０６、Ｓ１０８）ユーザは、情報入力手段１９を操作して第一のフレーズブロックデータ３８を選択して、音声出力手段２０が出力する当該第一のフレーズブロックデータ３８に関連付けられている音データ３６を聞きながら、選択した第一のフレーズブロックデータ３８を、１小節の長さを表すフレーム枠データ４２が表しているフレーム枠内に配置して組み合わせる処理を繰り返し行う。その結果図８に示すような複数の第一のフレーズブロックデータ３８の組み合わせからなる１小節の長さのソングブロックデータ４０が一又は複数含まれた作曲データ４５が完成する。
【００５５】
（Ｓ１０７、Ｓ１０８）Ｓ１０３、Ｓ１０４の処理後、１小節の長さを表すフレーム枠データ４２が表しているフレーム枠内に配置された第一のフレーズブロックデータ３８に付加する音色データ４１を選択すると、図９に示すような音色データ４１が付加された作曲データ４５が完成する。
【００５６】
（Ｓ１０９）作成された作曲データ４５はサーバ装置２へ送信され、作曲データ記憶部６ｃに記憶される。
【００５７】
（Ｓ１１０）ユーザ端末３では、音声出力手段２０が作曲データ４５に含まれている選択された複数の第一のフレーズブロックデータ３８の組み合わせに基づいて、当該組み合わされた第一のフレーズブロックデータ３８に関連付けられている音データ３６を出力する処理を行う。
【００５８】
このように、本実施形態では一音又は複数の音を一つの音のフレーズとしてブロック化し、音のブロックごとに音の特徴（音数、インターバル、高低）を色彩、模様を有する平面形状でインターフェース化している。そこで、音や音の流れがビジュアル化され、音を聞きながら感覚的に音のブロックを並べて遊ぶことができる。従って、具体的な音名、音符や楽譜が分からなくても音楽を学ぶことが可能なので音楽教育やトレーニング等に活用することができる。
【００５９】
［第二の実施形態］
本実施形態では、第一の実施形態の構成に以下の構成が追加されている。
【００６０】
サーバ装置２の記憶部６は、第二のフレーズブロックデータ記憶部６ｂとソングブロックデータ記憶部６ｄとを備えている。
【００６１】
第二のフレーズブロックデータ記憶部６ｂには、音データ３６と、前記音の数を表す第二の図形データ４３とが関連付けられてなる第二のフレーズブロックデータ４４が記憶されている。
【００６２】
図１０に示す例では、図５、図６の例で説明したように、一音、複数音を表す音データ３６ｅ〜３６ｈと、その音データそれぞれの音の数を表す第二の図形データ４３ａ、４３ｂ、４３ｃとが関連付けられて第二のフレーズブロックデータ４４ａ〜４４ｄとなっている。
【００６３】
このような第二のフレーズブロックデータ４４が複数組み合わされて、図１０（ｆ）に示すような特定のメロディ及びリズムを有する１小節の長さのソングブロックデータ４０が作成されている。
【００６４】
また、図５の例で説明したように、図１０（ａ）に示す１拍の長さを表すブロック枠データ３９を準備しておき、このブロック枠データ３９と、第二のフレーズブロックデータ４４とを関連付けてもよい。
【００６５】
このようなブロック枠データ３９が関連付けられた第二のフレーズブロックデータ４４が複数組み合わされて、図１０（ｇ）に示すような特定のメロディ及び４拍のリズムを有する１小節の長さのソングブロックデータ４０が作成されている。
【００６６】
第二の図形データ４３が表す各図形は、音データ３６の音の特徴、すなわち、音の数、拍数、高低を示す形状と色彩又は模様を有する。本実施形態でも、第一の実施形態と同様に音の数を形状で示し、音の高低と音程の変化を色彩又は模様で示している。
【００６７】
図１０（ｆ）、（ｇ）に示す第二のフレーズブロックデータ４４ａの第二の図形データ４３ａは、一音の音名「ラ」が所定の音の高さを有していることを表す色彩（無色）を有している。
【００６８】
図１０（ｆ）、（ｇ）に示す第二のフレーズブロックデータ４４ｂの第二の図形データ４３ｂは、二音の音名「ミレ」のうち、一音目の「ミ」よりも二音目の「レ」の音程が高いことを表す色彩（無色）を有している。
【００６９】
図１０（ｆ）、（ｇ）に示す第二のフレーズブロックデータ４４ｃの第二の図形データ４３ｂは、二音の音名「ファミ」のうち、一音目の「ファ」よりも二音目の「ミ」の音程が低いことを表す色彩（無色）を有している。
【００７０】
図１０（ｆ）、（ｇ）に示す第二のフレーズブロックデータ４４ｄの第二の図形データ４３ｃは、四音の音名「ラシドレ」が所定の音の高さを有していることを表す色彩（無色）を有している。
【００７１】
このように、第二の図形データ４３ａ〜４３ｃが表す図形の色彩は、関連付けられている音データ３６ｅ〜３６ｈの音の数、高低にかかわらず同一となっている。
【００７２】
また、図１０に示す第二の図形データ４３が表す図形と、当該第二の図形データ４３に関連付けられている音データ３６と同じ音データ３６が関連付けられている図５、図６に示す第一の図形データ３７が表す図形とは、形状、色彩又は模様が同一である場合がある。
【００７３】
図１０（ｆ）、（ｇ）に示す「ラ」の音データ３６ｅが関連付けられている第二の図形データ４３ａと、図５（ｆ）、（ｇ）に示す前記「ラ」の音データ３６ｅが関連付けられている第一の図形データ３７ａとは、それぞれの図形データが表す図形の形状、色彩が同一となっている。
【００７４】
また、図１０に示す第二の図形データ４３が表す図形と、当該第二の図形データ４３に関連付けられている音データ３６と同じ音データ３６が関連付けられている図５、図６に示す第一の図形データ３７が表す図形とは、形状は同一であるが、色彩又は模様が異なる場合がある。
【００７５】
図１０（ｆ）、（ｇ）に示す「ドソ」の音データ３６ｆが関連付けられている第二の図形データ４３ｂと、図６（ｂ）、（ｄ）に示す前記「ドソ」の音データ３６ｆが関連付けられている第一の図形データ３７ｂとは、それぞれの図形データが表す図形の形状は同一でるが、色彩が異なっている。
【００７６】
ソングブロックデータ記憶部６ｄには、一又は複数の第二のフレーズブロックデータ４４  からなるソングブロックデータ４０が記憶されている。図１０（ｆ）、（ｇ）に示す例では、四つの第二のフレーズブロックデータ４４（４４ａ〜４４ｄ）からなる１小節の長さのソングブロックデータ４０がソングブロックデータ記憶部６ｄに記憶されている。
【００７７】
サーバ装置２は、複数のソングブロックデータ４０をユーザ端末３に送信して、任意のソングブロックデータ４０の選択を促すソングブロックデータ選択指示部９を備えている。ユーザ端末３には、例えば、１小節の長さのソングブロックデータ４０を表す図形（アイコン）が複数表示される（非図示）。
【００７８】
ユーザ端末３による操作によってソングブロックデータ４０が選択されると、図１１〜図１４に示すように、ソングブロックデータ４０を構成する一又は複数の第二のフレーズブロックデータ４４が表示される。図示の例では、第二のフレーズブロックデータ４４ｄ、４４ｂ、４４ａ、４４ａが表示されている。
【００７９】
なお、本実施形態では、ユーザ端末３には、第二のフレーズブロックデータ４４に含まれている音の数、拍数、高低を示す形状と色彩又は模様のみが表示され、例えば「ラ」、「ドソ」等、どの音名なのかを認識できる情報は表示されない。この他、第二のフレーズブロックデータ４４を表示させる処理を行う際に、どの音名なのかを認識できる情報を表示させてもよい。
【００８０】
ユーザ端末３によって第二のフレーズブロックデータ４４が選択されると、選択した第二のフレーズブロックデータ４４の第二の図形データ４３に関連付けられている音データ３６が音声出力手段２０によって出力される。すなわち、選択された第二のフレーズブロックデータ４４がどのようなメロディ及びリズムなのかを聞くことができる。
【００８１】
サーバ装置２は、選択された第二のフレーズブロックデータ４４に対応する第一のフレーズブロックデータ３８の選択を促す対応フレーズブロックデータ選択指示部１０を備えている。図１１に示す例では、四つの第一のフレーズブロックデータ３８ｄがユーザ端末３に表示されている。図１２に示す例では、四つの第一のフレーズブロックデータ３８ｂがユーザ端末３に表示されている。図１３、図１４に示す例ではそれぞれ、四つの第一のフレーズブロックデータ３８ａがユーザ端末３に表示されている。いずれの例においても、第二のフレーズブロックデータ４４に対応する第一のフレーズブロックデータ３８が一つ表示されており、残りの三つの第一のフレーズブロックデータ３８は第二のフレーズブロックデータ４４とは音データ３６の種類、高低が異なっている。
【００８２】
対応フレーズブロックデータ選択指示部１０は、ユーザ端末３に表示されているソングブロックテータ４０を構成する第二のフレーズブロックデータ４４に関連付けられている音データ３６と同じ音データ３６が関連付けられている第一のフレーズブロックデータ３８を選択するよう促す処理を行う。図１１に示す例では、第二のフレーズブロックデータ４４ｄに関連付けられている音データ３６ｈ「ラシドレ」と同じ音データ３６ｈが関連付けられている第一のフレーズブロックデータ３８ｄを、四つの第一のフレーズブロックデータ３８ｄの中から選択するよう促す処理が行われる。図１２〜図１４においても同様の処理が行われる。
【００８３】
ユーザは、第二のフレーズブロックデータ４４を選択して、音声出力手段２０が出力する当該第二のフレーズブロックデータ４４に関連付けられている音データ３６を聞いた後、当該音データ３６の音の数、拍数、高低と同じ音データ３６が関連付けられている第一のフレーズブロックデータ３８を選択する。ユーザ端末３によって第一のフレーズブロックデータ３８が選択されると、選択した第一のフレーズブロックデータ３８に関連付けられている音データ３６が音声出力手段２０によって出力される。すなわち、選択された第一のフレーズブロックデータ３８に関連付けられている音データ３８がどのような音なのかを聞くことができる。
【００８４】
なお、図１１〜図１４に示すように、サーバ装置２からユーザ端末３へ鍵盤データ４７を送信し、第一のフレーズブロックデータ３８を選択した際に、第一のフレーズブロックデータ３８に関連付けられている音データ３６がどのような音なのかを鍵盤データ４７に表示させることもできる。このようにすることで、出力された音データ３６が鍵盤データ４７のどの位置にあるのかを認識しながらピアノ等の音楽学習を行うことができる。
【００８５】
サーバ装置２は、選択された第一のフレーズブロックデータ３８をフレーム枠データ４２が表しているフレーム枠内に配置することを促す対応フレーズブロックデータ配置指示部１１を備えている。
【００８６】
ユーザはユーザ端末３の情報入力手段１９を用いて、図１１〜図１４に示すように選択した第一のフレーズブロックデータ３８をドラッグ等の操作を行って矢印の方向へ移動させ、前記フレーム枠内に配置する。
【００８７】
サーバ装置２は、ユーザ端末３から前記フレーム枠内に配置された第一のフレーズブロックデータ３８を取得して、当該第一のフレーズブロックデータ３８に関連付けられている音データ３６と、前記選択された第二のフレーズブロックデータ４４に関連付けられている音データ３６とが一致しているか否かを判別する判別部１２を備えている。
【００８８】
図１１、図１５（ａ）に示す例では、前記選択された第二のフレーズブロックデータ４４ｄに関連付けられている音データ３６ｈ「ラシドレ」に対して、前記フレーム枠内に配置された第一のフレーズブロックデータ３８ｄに関連付けられている音データ３６ｈが「ラシドレ」であるので、判別部１２は両フレーズブロックデータに関連付けられている音データは一致していると判別する。
【００８９】
図１１、図１５（ｂ）に示す例では、前記選択された第二のフレーズブロックデータ４４ｄに関連付けられている音データ３６ｈ「ラシドレ」に対して、前記フレーム枠内に配置された第一のフレーズブロックデータ３８ｄに関連付けられている音データ３６ｉが「ラドレシ」であるので、判別部１２は両フレーズブロックデータに関連付けられている音データは一致していないと判別する。
【００９０】
図１２、図１５（ｃ）に示す例では、前記選択された第二のフレーズブロックデータ４４ｂに関連付けられている音データ３６ｆ「ドソ」に対して、前記フレーム枠内に配置された第一のフレーズブロックデータ３８ｂに関連付けられている音データ３６ｆが「ドソ」であるので、判別部１２は両フレーズブロックデータに関連付けられている音データは一致していると判別する。
【００９１】
図１２、図１５（ｄ）に示す例では、前記選択された第二のフレーズブロックデータ４４ｂに関連付けられている音データ３６ｆ「ドソ」に対して、前記フレーム枠内に配置された第一のフレーズブロックデータ３８ｂに関連付けられている音データ３６ｊが「ドファ」であるので、判別部１２は両フレーズブロックデータに関連付けられている音データは一致していないと判別する。
【００９２】
図１３、図１５（ｅ）に示す例では、前記選択された第二のフレーズブロックデータ４４ａに関連付けられている音データ３６ｅ「ラ」に対して、前記フレーム枠内に配置された第一のフレーズブロックデータ３８ａに関連付けられている音データ３６ｅが「ラ」であるので、判別部１２は両フレーズブロックデータに関連付けられている音データは一致していると判別する。
【００９３】
図１３、図１５（ｆ）に示す例では、前記選択された第二のフレーズブロックデータ４４ａに関連付けられている音データ３６ｅ「ラ」に対して、前記フレーム枠内に配置された第一のフレーズブロックデータ３８ａに関連付けられている音データ３６ｋが「シ」であるので、判別部１２は両フレーズブロックデータに関連付けられている音データは一致していないと判別する。
【００９４】
図１４、図１５（ｇ）に示す例では、前記選択された第二のフレーズブロックデータ４４ａに関連付けられている音データ３６ｅ「ラ」に対して、前記フレーム枠内に配置された第一のフレーズブロックデータ３８ａに関連付けられている音データ３６ｅが「ラ」であるので、判別部１２は両フレーズブロックデータに関連付けられている音データは一致していると判別する。
【００９５】
図１４、図１５（ｈ）に示す例では、前記選択された第二のフレーズブロックデータ４４ａに関連付けられている音データ３６ｅ「ラ」に対して、前記フレーム枠内に配置された第一のフレーズブロックデータ３８ａに関連付けられている音データ３６ｌが「シ」であるので、判別部１２は両フレーズブロックデータに関連付けられている音データは一致していないと判別する。
【００９６】
音声出力手段２０は、前記フレーム枠内に配置された複数の第一のフレーズブロックデータ３８の組み合わせに基づいて、当該組み合わされた複数の第一のフレーズブロックデータ３８に関連付けられている音データ３６を出力する処理を行う。図１１〜図１４図に示す例では、判別部１２による上記判別処理後、前記フレーム枠内に配置された第一のフレーズブロックデータ３８ｄ、３８ｂ、３８ａ、３８ａそれぞれに関連付けられている音データ３６ｈ、３６ｆ、３６ｅ、３６ｅが出力される。
【００９７】
サーバ装置２は、第一のフレーズブロックデータ３８及び第二のフレーズブロックデータ４４に関連付けられている音データ３６の音名を音名データとして生成する音名データ生成部１３を備えている。
【００９８】
図１１〜図１４に示す例では、判別部１２が前記フレーム枠内に配置された第一のフレーズブロックデータ３８に関連付けられている音データ３６と、前記選択された第二のフレーズブロックデータ４４に関連付けられている音データ３６とが一致していると判別した際に、音名データ生成部１３は、第二のフレーズブロックデータ４４ｄ、４４ｂ、４４ａ、４４ａに関連付けられている音データ３６ｈ、３６ｆ、３６ｅ、３６ｅの音名データ「ラシドレ」、「ドソ」、「ラ」、「ラ」をユーザ端末３に送信する。
【００９９】
ユーザ端末３では、取得した前記音名データ「ラシドレ」、「ドソ」、「ラ」、「ラ」を音声出力手段２０が出力する。これにより、ユーザは、選択したソングブロックデータ４０を構成する第二のフレーズブロックデータ４４に関連付けられている音データ３６がどの音名なのかを知ることができる。
【０１００】
本実施形態では、第一の実施形態の構成に追加されたソングブロックデータ選択指示部９、対応フレーズブロックデータ選択指示部１０、対応フレーズブロックデータ配置指示部１１、判別部１２、音名データ生成部１３が行う上述の処理をサーバ装置２が行う構成としている。この他、これらの情報処理を実行するために必要なアプリケーションプログラムをサーバ装置２からユーザ端末３へダウンロード、インストールさせ、ユーザ端末３が前記アプリケーションブログラムを実行して、ソングブロックデータ選択指示部９、対応フレーズブロックデータ選択指示部１０、対応フレーズブロックデータ配置指示部１１、判別部１２、音名データ生成部１３が行う上述の処理をユーザ端末３が行う構成とすることもできる。
【０１０１】
図２２を参照して本実施形態の処理フローを説明する。この処理フローでも、ユーザ端末３が予めサーバ装置２から前記アプリケーションブログラムをダウンロード、インストールしており、サーバ装置２が記憶している各種データも保有している。
【０１０２】
（Ｓ２０１）ユーザはユーザ端末３を使用して本発明に係る音楽教育支援サービスの提供を受けるためのアプリケーションプログラムを起動する。
【０１０３】
（Ｓ２０２）フレーズブロック選択指示部７は、図１１〜図１４に示すような種々の第一のフレーズブロックデータ３８をユーザ端末３に表示する処理を行う。
【０１０４】
（Ｓ２０３）ソングブロックデータ選択指示部９は、複数のソングブロックデータ４０をユーザ端末３に表示して、任意のソングブロックデータ４０の選択を促す処理を行う。ユーザ端末３には、１小節の長さのソングブロックデータ４０を表す図形（アイコン）が複数表示される（非図示）。
【０１０５】
（Ｓ２０４）ユーザ端末３による操作によってソングブロックデータ４０が選択されると、図１１に示すように、１小節の長さのソングブロックデータ４０を構成する第二のフレーズブロックデータ４４が表示される。
【０１０６】
（Ｓ２０５、Ｓ２０６）ユーザ端末３によって第二のフレーズブロックデータ４４が選択されると、選択した第二のフレーズブロックデータ４４に関連付けられている音データ３６が音声出力手段２０によって出力される。
【０１０７】
（Ｓ２０７）対応フレーズブロックデータ選択指示部１０は、図１１〜図１４に示す順番に従って、第二のフレーズブロックデータ４４に関連付けられている音データ３６と同じ音データが関連付けられている第一のフレーズブロックデータ３８を、複数の第一のフレーズブロックデータ３８の中から選択するよう促す処理を行う。
【０１０８】
（Ｓ２０８）ユーザ端末３によって第一のフレーズブロックデータ３８が選択されると、選択した第一のフレーズブロックデータ３８に関連付けられている音データ３６が音声出力手段２０によって出力される。
【０１０９】
（Ｓ２０９）対応フレーズブロックデータ配置指示部１１は、選択された第一のフレーズブロックデータ３８を１小節の長さを表すフレーム枠データ４２が表しているフレーム枠内に配置することを促す処理を行う。  
ユーザは、ユーザ端末３の音声出力手段２０から出力される選択した第二のフレーズブロックデータ４４に関連付けられている音データ３６と、選択した第一のフレーズブロックデータ３８に関連付けられている音データ３６を聞きながら、情報入力手段１９を用いて、図１１〜図１４に示すように、選択した第一のフレーズブロックデータ３８ｄ、３８ｂ、３８ａ、３８ａをドラッグ等の操作を行って矢印の方向へ移動させ、前記フレーム枠内にそれぞれ配置する。
【０１１０】
（Ｓ２１０）判別部１２は、前記フレーム枠内に配置された第一のフレーズブロックデータ３８に関連付けられている音データ３６と、前記選択された第二のフレーズブロックデータ４４に関連付けられている音データ３６とが一致しているか否かを判別する処理を行う。  
図１５（ｂ）、（ｄ）、（ｆ）、（ｈ）に示すような、前記選択された第二のフレーズブロックデータ４４ｄ、４４ｂ、４４ａ、４４ａそれぞれに関連付けられている音データ３６ｈ、３６ｆ、３６ｅ、３６ｅと、前記フレーム枠内に配置された第一のフレーズブロックデータ３８ｄ、３８ｂ、３８ａ、３８ａそれぞれに関連付けられている音データとが一致していないと判別した場合、再度Ｓ２０７〜Ｓ２０９の処理が行われる。
【０１１１】
（Ｓ２１１）図１５（ａ）、（ｃ）、（ｅ）、（ｇ）に示すような、前記選択された第二のフレーズブロックデータ４４ｄ、４４ｂ、４４ａ、４４ａそれぞれに関連付けられている音データ３６ｈ、３６ｆ、３６ｅ、３６ｅと、前記フレーム枠内に配置された第一のフレーズブロックデータ３８ｄ、３８ｂ、３８ａ、３８ａそれぞれに関連付けられている音データとが一致していると判別した場合、音名データ生成部１３は、第二の第二のフレーズブロックデータ４４ｄ、４４ｂ、４４ａ、４４ａに関連付けられている音データ「ラシドレ」、「ドソ」、「ラ」、「ラ」の音名データをユーザ端末３に送信する処理を行う。
【０１１２】
（Ｓ２１２）ユーザ端末３では、取得した前記音名データ「ラシドレ」、「ドソ」、「ラ」、「ラ」を音声出力手段２０が出力する。
【０１１３】
このように、本実施形態でも一音又は複数の音を一つの音のフレーズとしてブロック化し、音のブロックごとに音の特徴（音数、インターバル、高低）を色彩、模様を有する平面形状でインターフェース化している。そこで、音や音の流れがビジュアル化され、音を聞きながら感覚的に音のブロックを並べて遊ぶことができる。従って、具体的な音名、音符や楽譜が分からなくても音楽を学ぶことが可能なので音楽教育やトレーニング等に活用することができる。
【０１１４】
［第三の実施形態］
本実施形態では、第一の実施形態の構成に情報通信装置４が通信ネットワーク４６を介してサーバ装置２及びユーザ端末３に接続された構成が追加されている。
【０１１５】
本実施形態の情報通信装置４ａは、図４（ａ）に示すように、複数の音声記憶構造体２２と、音声記憶構造体２２が配置される配置盤２７とを備えている。
【０１１６】
音声記憶構造体２２は直方体の形状を有している。図１６に示す例では、音声記憶構造体２２ａは立方体の形状を有している。
【０１１７】
音声記憶構造体２２は、ユーザ端末３と配置盤２７それぞれと相互に情報の送受信を行う情報送受信部２３を備えている。
【０１１８】
音声記憶構造体２２は、第一の実施形態で説明したサーバ装置２又はユーザ端末３から第一のフレーズブロックデータ３８を取得する。例えば、上述したサーバ装置２のフレーズブロックデータ選択指示部７が複数の第一のフレーズブロックデータ３８をユーザ端末３に送信して、任意の第一のフレーズブロックデータ３８の選択を促す処理を行う際に、当該複数の第一のフレーズブロックデータ３８を音声記憶構造体２２にも送信する。あるいは、ユーザ端末３が、サーバ装置２から取得した図７（ａ）に示すような種々の第一のフレーズブロックデータ３８を音声記憶構造体２２に送信する。
【０１１９】
図１６（ｂ）に示す例では、音声記憶構造体２２ａの前面部４７、背面部４８、両側面部４９、５０、上面部５１、下面部５２にそれぞれ、「ド」、「レ」、「ミ」、「ファ」、「ソ」、「ラ」についての第一のフレーズブロックデータ３８ａが記憶されている。そのため、第一のフレーズブロックデータ３８は、図１７に示すように、音データ３６と第一の図形データ３７と記憶先とが関連付けられて構成されている。図１６、図１７に示す例では、一音に関する第一のフレーズブロックデータ３８ａについて説明しているが、図５（ｆ）に示す第一のフレーズブロックデータ３８ｂ、３８ｃ、３８ｄ等種々の第一のフレーズブロックデータを音声記憶構造体２２ａに記憶しておくことができる。
【０１２０】
また、音声記憶構造体２２ａの前面部４７、背面部４８、両側面部４９、５０、上面部５１、下面部５２にそれぞれ、第一のフレーズブロックデータ３８ａを表す図形が表示されている。
【０１２１】
音声記憶構造体２２は、一例として記憶部２４としての内蔵メモリを備えている。これらが行う情報処理はＣＰＵ、ＲＡＭ等を備える制御部２６によって制御される。
【０１２２】
配置盤２７は、音声記憶構造体２２と相互に情報の送受信を行う情報送受信部２７ａを備えている。
【０１２３】
配置盤２７は、音声記憶構造体２２を検知する検知部２９を備えている。検知部２９は、例えば近距離無線通信規格を利用した非接触通信方式により音声記憶構造体２２を検知することができる。
【０１２４】
また、配置盤２７は、音声記憶構造体２２が配置される一又は複数の配置部２８を備えている。図１８（ａ）に示す例では、配置部２８は立方体形状の音声記憶構造体２２ａの一部が嵌め込まれる凹部を有している。
【０１２５】
検知部２９は、配置部２８に音声記憶構造体２２が配置された際に、当該音声記憶構造体２２が配置されたこと及び当該音声記憶構造体２２が記憶している第一のフレーズブロックデータ３８を検知する。例えば、図１６（ａ）図示の音声記憶構造体２２ａが配置部２８に配置されると、検知部２９は配置部２８に音声記憶構造体２２ａの下面部５２が接触していること及び音声記憶構造体２２ａに記憶されている「ラ」についての第一のフレーズブロックデータ３８ａを検知する。
【０１２６】
配置盤２７は、ユーザ端末３に対し、検知部２９が音声記憶構造体２２を検知した後、音声記憶構造体２２が記憶している第一のフレーズブロックデータ３８に関連付けられている音データ３６の出力を指示する音声出力指示部３０を備えている。例えば、検知部２９が検知した音声記憶構造体２２ａの下面部５２に記憶されている第一のフレーズブロックデータ３８ａに関連付けられている「ラ」についての音データ３６を出力する指示を行う。
【０１２７】
これらの各情報処理部が行う情報処理はＣＰＵ、ＲＡＭ等を備える制御部３１によって制御される。
【０１２８】
ユーザ端末３の音声出力手段２０は、配置盤２７の音声出力指示部３０からの音データ出力指示に基づいて、サーバ装置２から取得した第一のフレーズブロックデータ３８に関連付けられている音データ３８を出力する。図１８（ｂ）に示す例では、検知部２９が検知した音声記憶構造体２２ａの下面部５２に記憶されている第一のフレーズブロックデータ３８ａに関連付けられている「ラ」についての音データ３６を出力する。図１８（ｃ）に示す例では、四つの配置部２８それぞれに図１６（ａ）に示す音声記憶構造体２２ａで定義した下面部５２、背面部４８、上面部５１、前面部４７が接触している。そして、四つの検知部２９それぞれが検知した下面部５２、背面部４８、上面部５１、前面部４７に記憶されている第一のフレーズブロックデータ３８ａに関連付けられている「ラ」、「レ」、「ソ」、「ド」についての音データ３６を出力する。
【０１２９】
図２３を参照して情報通信装置４ａを用いた本実施形態の処理フローについて説明する。この処理フローでも、ユーザ端末３が予めサーバ装置２から前記アプリケーションブログラムをダウンロード、インストールしており、サーバ装置２が記憶している各種データも保有している。
【０１３０】
（Ｓ３０１）ユーザはユーザ端末３を使用して本実施形態に係る音楽教育支援サービスの提供を受けるためのアプリケーションプログラムを起動する。
【０１３１】
（Ｓ３０２）フレーズブロックデータ選択指示部７は、図１７に示すような種々の第一のフレーズブロックデータ３８ａをユーザ端末３に表示する。
【０１３２】
（Ｓ３０３）音声記憶構造体２２ａは、ユーザ端末３から図１７に示すような種々の第一のフレーズブロックデータ３８ａを取得する。
【０１３３】
（Ｓ３０４）ユーザは、図１８（ｂ）、（ｃ）に示すように、第一のフレーズブロックデータ３８ａを取得した複数の音声記憶構造体２２ａを自由な組み合わせで配置盤２７の配置部２８に配置する。
【０１３４】
（Ｓ３０５）配置盤２７の検知部２９は、音声記憶構造体２２ａが配置部２８に配置されると、配置部２８に接触している音声記憶構造体２２ａの部分（例えば下面部５２）及び当該音声記憶構造体２２ａに記憶されている第一のフレーズブロックデータ３８ａを検知する。
【０１３５】
（Ｓ３０６）音声出力指示部３０は、音声出力手段２０に対し、検知部２９が検知した音声記憶構造体２２ａの配置部２８に接触している部分（例えば下面部５２）に記憶されている第一のフレーズブロックデータ３８ａに関連付けられている音データ３６を出力する指示を行う。
【０１３６】
（Ｓ３０７）ユーザ端末３の音声出力手段２０は、配置盤２７の音声出力指示部３０からの音データ出力指示に基づいて、サーバ装置２から取得した第一のフレーズブロックデータ３８に関連付けられている音データ３８を出力する。
【０１３７】
このように、本実施形態では一音又は複数の音を一つの音のフレーズとしてブロック化し、音のブロックごとに音の特徴（音数、インターバル、高低）を立体形状でインターフェース化している。そこで、音や音の流れがビジュアル化され、音を聞きながら感覚的に音のブロックを並べて遊ぶことができる。従って、具体的な音名、音符や楽譜が分からなくても音楽を学ぶことが可能なので音楽教育やトレーニング等に活用することができる。
【０１３８】
［第四の実施形態］
本実施形態では、第三の実施形態の構成の一部を変更した形態である。
【０１３９】
本実施形態の情報通信装置４ａは、図４（ａ）に示すように、複数の情報通信構造体２２と、音声記憶構造体２２が配置される配置盤２７とを備えている。
【０１４０】
音声記憶構造体２２は、第一の図形データ３７の図形を立体化した形状を有している。図１９に示す例では、音声記憶構造体２２ａは、図５（ｂ）に示す第一の図形データ３７ａが表す円形の図形を球体にした形状を有している。また、音声記憶構造体２２ｂは、図５（ｅ）に示す第一の図形データ３７ｄが表す正方形の図形を立方体にした形状を有している。
【０１４１】
音声記憶構造体２２は、第一の実施形態で説明したユーザ端末３によって選択された第一のフレーズブロックデータ３８を取得する。例えば図５（ｆ）に示す第一のフレーズブロックデータ３８ａを、第一の図形データ３７ａが表す円形の図形に対応した球体形状の音声記憶構造体２２ａが取得する。また、図５（ｆ）に示す第一のフレーズブロックデータ３８ｄを、第一の図形データ３７ｄが表す正方形の図形に対応した立方体形状の音声記憶構造体２２ｂが取得する。その結果、音声記憶構造体２２は第一のフレーズブロックデータ３８に関連付けられている音データ３６を保有することになる。
【０１４２】
音声記憶構造体２２は、音声出力手段２５として内部スピーカを備えている。これらが行う情報処理はＣＰＵ、ＲＡＭ等を備える制御部２６によって制御される。
【０１４３】
なお、音声記憶構造体２２が第一のフレーズブロックデータ３８を取得する構成は上記の他、記憶部２４に予め種々の第一のフレーズブロックデータ３８を記憶させる構成にすることもできる。例えば、音声記憶構造体２２ａに音データ３６ｅ「ラ」が関連付けられている第一のフレーズブロックデータ３８ａを予め保有させておくことや、音声記憶構造体２２ｂに音データ３６ｆ「ドソ」が関連付けられている第一のフレーズブロックデータ３８ｂを予め記憶させておくことができる。
【０１４４】
配置盤２７は、音声記憶構造体２２が配置される一又は複数の配置部２８を備えている。図１９（ａ）に示す例では、配置部２８は球体形状の音声記憶構造体２２ａの一部が嵌め込まれる凹部と、立方体形状の音声記憶構造体２２ｂの一部が嵌め込まれる凹部を有している。この他、これらの凹部が組み合わされた形状の配置部とすることもできる。
【０１４５】
本実施形態では、検知部２９は、例えば音声記憶構造体２２の重量等を検知することにより、音声記憶構造体２２が配置部２８に配置されたことを検知する処理を行う。
【０１４６】
本実施形態では、音声出力指示部３０は、配置部２８に配置された音声記憶構造体２２に対し、検知部２９が検知した音声記憶構造体２２が記憶している第一のフレーズブロックデータ３８に関連付けられている音データ３６の出力を指示する処理を行う。例えば、音声記憶構造体２２ａが取得した第一のフレーズブロックデータ３８ａに関連付けられている「ラ」についての音データ３６ｅを出力する指示を行う。また、音声記憶構造体２２ｂが取得した第一のフレーズブロックデータ３８ｄに関連付けられている「ラシドレ」についての音データ３６ｈを出力する指示を行う。
【０１４７】
これらの各情報処理部が行う情報処理はＣＰＵ、ＲＡＭ等を備える制御部３１によって制御される。
【０１４８】
音声記憶構造体２２の音声出力手段２５は、配置盤２７の音声出力指示部３０からの音データ出力指示に基づいて、取得した第一のフレーズブロックデータ３８に関連付けられている音データ３８を出力する。図１９（ｃ）に示す例では、左側の配置部２８に配置されている左側の音声記憶構造体２２ｂが取得した第一のフレーズブロックデータ３８ｄに関連付けられている「ラシドレ」についての音データ３６ｈから順番に出力される。
【０１４９】
図２４を参照して情報通信装置４ａを用いた本実施形態の処理フローについて説明する。この処理フローでも、ユーザ端末３が予めサーバ装置２から前記アプリケーションブログラムをダウンロード、インストールしており、サーバ装置２が記憶している各種データも保有している。
【０１５０】
（Ｓ４０１）図２１のＳ１０５で説明したユーザ端末３によって第一のフレーズブロックデータ３８を選択する処理が行われた後、ユーザ端末３は選択した第一のフレーズブロックデータ３７を情報通信装置４ａに送信する。
【０１５１】
（Ｓ４０２）情報通信装置４ａでは、例えば図５（ｆ）に示す第一のフレーズブロックデータ３８ａを、第一の図形データ３７ａが表す円形の図形に対応した球体形状の音声記憶構造体２２ａが取得する。また、図５（ｆ）に示す第一のフレーズブロックデータ３７ｄを、第一の図形データ３７ｄが表す正方形の図形に対応した立方体形状の音声記憶構造体２２ｂが取得する。
【０１５２】
（Ｓ４０３）ユーザは、図１９（ｂ）に示すように、第一のフレーズブロックデータ３８ａを取得した球体形状の音声記憶構造体２２ａと、第一のフレーズブロックデータ３８ｄを取得した立方体形状の音声記憶構造体２２ｂを自由な組み合わせで配置盤２７の配置部２８に配置する。
【０１５３】
（Ｓ４０４）配置盤２７の検知部２９は、音声記憶構造体２２の重量等を検知すること等により、音声記憶構造体２２が配置部２８に配置されたこと及び当該音声記憶構造体２２が記憶している第一のフレーズブロックデータ３８を検知する処理を行う。
【０１５４】
（Ｓ４０５）配置盤２７の音声出力指示部３０は、配置部２８に配置された音声記憶構造体２２に対し、検知部２９が検知した音声記憶構造体２２が記憶している第一のフレーズブロックデータ３８に関連付けられている音データ３６の出力を指示する処理を行う。
【０１５５】
（Ｓ４０６）音声記憶構造体２２の音声出力手段２５は、配置盤２７の音声出力指示部３０からの音データ出力指示に基づいて、取得した第一のフレーズブロックデータ３８に関連付けられている音データ３６を出力する。
【０１５６】
本実施形態の情報通信装置４については、上述した情報通信装置４ａの他、図２０に示す電子キーボード等の情報通信装置４ｂを使用することもできる。
【０１５７】
情報通信装置４ｂはユーザ端末３と相互に情報の送受信を行う情報送受信部３２を備えている（図４（ｂ））。情報通信装置４ｂは、第一の実施形態で説明したユーザ端末３によって選択された第一のフレーズブロックデータ３８を取得する。例えば図５（ｆ）、（ｇ）に示す第一のフレーズブロックデータ３８ａ〜３８ｄを取得する。
【０１５８】
情報通信装置４ｂは鍵盤３３を備えている（図４（ｂ））。
【０１５９】
情報通信装置４ｂは、ユーザ端末３から取得した第一のフレーズブロックデータ３８に基づいて、当該第一のフレーズブロックデータ３８に関連付けられている音データ３６に対応する鍵盤３３の位置をガイドするガイド表示手段３４を備えている（図４（ｂ））。ガイド表示手段３４は、例えば発光素子等を備えた発光部を発光させて、第一のフレーズブロックデータ３８に関連付けられている音データ３６に対応する鍵盤３３の位置をガイドすることができる。
【０１６０】
これらの各情報処理部が行う情報処理はＣＰＵ、ＲＡＭ等を備える制御部３５によって制御される。
【０１６１】
図２５を参照して情報通信装置４ｂを用いた本実施形態の処理フローについて説明する。この処理フローでも、ユーザ端末３が予めサーバ装置２から前記アプリケーションブログラムをダウンロード、インストールしており、サーバ装置２が記憶している各種データも保有している。
【０１６２】
（Ｓ５０１）図２１のＳ１０８で説明したユーザ端末３によって作曲データ４５が完成した後、ユーザ端末３は作曲データ４５を情報通信装置４ｂに送信する。
【０１６３】
（Ｓ５０２）情報通信装置４ｂは、作曲データ４５を構成する第一のフレーズブロックデータ３８を取得する。例えば図８（ａ）に示す作曲データ４５を構成する複数の第一のフレーズブロックデータ３８を取得する。
【０１６４】
（Ｓ５０３）ガイド表示手段３４は、ユーザ端末３から取得した第一のフレーズブロックデータ３８に基づいて、発光素子等を備えた発光部を発光させる等、当該第一のフレーズブロックデータ３８に関連付けられている音データ３６に対応する鍵盤３３の位置をガイドする処理を行う。
【０１６５】
このように、本実施形態では一音又は複数の音を一つの音のフレーズとしてブロック化し、音のブロックごとに音の特徴（音数、インターバル、高低）を平面形状や立体形状でインターフェース化している。そこで、音や音の流れがビジュアル化され、音を聞きながら感覚的に音のブロックを並べて遊ぶことができる。従って、具体的な音名、音符や楽譜が分からなくても音楽を学ぶことが可能なので音楽教育やトレーニング等に活用することができる。
【符号の説明】
【０１６６】
１  音楽教育支援システム
２  サーバ装置
３  ユーザ端末
４（４ａ、４ｂ）  情報通信装置
５  情報送受信部
６  記憶部
６ａ  第一のフレーズブロックデータ記憶部
６ｂ  第二のフレーズブロックデータ記憶部
６ｃ  作曲データ記憶部
６ｄ  ソングブロックデータ記憶部
６ｅ  音色データ記憶部
７  フレーズブロックデータ選択指示部
８  フレーズブロックデータ組み合わせ指示部
９  ソングブロックデータ選択指示部
１０  対応フレーズブロックデータ選択指示部
１１  対応フレーズブロックデータ配置指示部
１２  判別部
１３  音名データ生成部
１４  音色データ選択指示部
１５  制御部
１６  情報送受信部
１７  記憶部
１８  情報表示手段
１９  情報入力手段
２０  音声出力手段
２１  制御部
２２（２２ａ、２２ｂ）  音声記憶構造体
２３  情報送受信部
２４  記憶部
２５  音声出力手段
２６  制御部
２７  配置盤
２７ａ  情報送受信部
２８  配置部
２９  検知部
３０  音声出力指示部
３１  制御部
３２  情報送受信部
３３  鍵盤
３４  ガイド表示手段
３５  制御部
３６（３６ａ〜３６ｌ）  音データ
３７（３７ａ〜３７ｅ）  第一の図形データ
３８（３８ａ〜３８ｅ）  第一のフレーズブロックデータ
３９  ブロック枠データ
４０  ソングブロックデータ
４１（４１ａ〜４１ｆ）  音色データ
４２  フレーム枠データ
４３（４３ａ〜４３ｄ）  第二の図形データ
４４（４４ａ〜４４ｄ）  第二のフレーズブロックデータ
４５  作曲データ
４６  通信ネットワーク
４７  鍵盤データ
【図１】
2018021519.tif 000003
【図２】
2018021519.tif 000004
【図３】
2018021519.tif 000005
【図４】
2018021519.tif 000006
【図５】
2018021519.tif 000007
【図６】
2018021519.tif 000008
【図７】
2018021519.tif 000009
【図８】
2018021519.tif 000010
【図９】
2018021519.tif 000011
【図１０】
2018021519.tif 000012
【図１１】
2018021519.tif 000013
【図１２】
2018021519.tif 000014
【図１３】
2018021519.tif 000015
【図１４】
2018021519.tif 000016
【図１５】
2018021519.tif 000017
【図１６】
2018021519.tif 000018
【図１７】
2018021519.tif 000019
【図１８】
2018021519.tif 000020
【図１９】
2018021519.tif 000021
【図２０】
2018021519.tif 000022
【図２１】
2018021519.tif 000023
【図２２】
2018021519.tif 000024
【図２３】
2018021519.tif 000025
【図２４】
2018021519.tif 000026
【図２５】
2018021519.tif 000027
【国際調査報告】
2018021519.tif 000028
2018021519.tif 000029